(57)【要約】【課題】  ＳＣＰＣ通信方式を採用した無線通信システムにおいて、応答の即時性を向上させた移動無線通信システムを提供する。【解決手段】  基地局と複数の移動局の少なくとも一方が、通信状態を監視してチャネル数の切替の要否を判断するための判断情報を作成し、該判断情報に基づきチャネル数の変更が必要な場合には下り通信と上り通信とのチャネル数の比を切り替えるチャネル数切替手段を備える。【選択図】      図１
2020120385.tif 000002
【特許請求の範囲】
【請求項１】
基地局と、該基地局と通信する複数の直接波通信局とを備える無線通信システムであって、
基地局と複数の直接波通信局の少なくとも一局が、
直接波通信帯域数の切替の要否を判断するための判断情報に基づき、
１直接波通信帯域に対応付けた周波数帯域を複数の直接波通信帯域に対応付けた狭帯域に分割することにより直接波通信帯域数を切り替える帯域数切替手段を備える
ことを特徴とする無線通信システム。
【請求項２】
請求項１の無線通信システムであって、
直接波通信帯域は上り通信帯域であり、
帯域数切替手段は、帯域数の比（下り通信の帯域数：直接波通信の帯域数）を、１：１の状態と１：Ｎ（Ｎは２以上の正の整数）の状態との切り替えを行う
ことを特徴とする無線通信システム。
【請求項３】
請求項１の無線通信システムであって、
基地局が、複数の直接波通信局のうち特定の直接波通信局へ、直接波通信帯域の設定を指示する制御信号を送信する
ことを特徴とする無線通信システム。
【請求項４】
請求項３の無線通信システムであって、
直接波通信局は、前記制御信号に基づき、直接波を送信すべき直接波送信帯域を送信機に設定する
ことを特徴とする無線通信システム。
【請求項５】
請求項４の無線通信システムであって、
直接波は、ＡＳＫ変調されている
ことを特徴とする無線通信システム。
【請求項６】
請求項３の無線通信システムであって、
基地局と複数の直接波通信局の少なくとも一局は、前記制御信号に基づき、直接波を受信すべき直接波通信帯域を受信機に設定する
ことを特徴とする無線通信システム。
【請求項７】
請求項６の無線通信システムであって、
直接波は、断続されている
ことを特徴とする無線通信システム。
【請求項８】
請求項１の無線通信システムであって、
帯域数切替手段は、
通信状態を監視し、
前記通信状態を参照して、周波数チャネル、帯域幅、変調処理、復調処理、符号化処理、復号化処理、送信電力の少なくとも１つを設定する
ことを特徴とする無線通信システム。
【請求項９】
基地局と、該基地局と通信する複数の直接波通信局とを備える無線通信システムの基地局であって、
直接波通信帯域数の切替の要否を判断するための判断情報に基づき、
１直接波通信帯域に対応付けた周波数帯域を複数の直接波通信帯域に対応付けた狭帯域に分割することにより直接波通信帯域数を切り替える帯域数切替手段を備える
ことを特徴とする基地局。
【請求項１０】
請求項９の基地局であって、
直接波通信帯域は上り通信帯域であり、
帯域数切替手段は、帯域数の比（下り通信の帯域数：直接波通信の帯域数）を、１：１の状態と１：Ｎ（Ｎは２以上の正の整数）の状態との切り替えを行う
ことを特徴とする基地局。
【請求項１１】
請求項９の基地局であって、
複数の直接波通信局のうち特定の直接波通信局へ、直接波通信帯域数の設定を指示する制御信号を送信する
ことを特徴とする基地局。
【請求項１２】
請求項１１の基地局であって、
前記制御信号に基づき、直接波を受信すべき直接波通信帯域を受信機に設定する
ことを特徴とする基地局。
【請求項１３】
請求項１２の基地局であって、
直接波は、断続されている
ことを特徴とする基地局。
【請求項１４】
請求項９の基地局であって、
帯域数切替手段は、
通信状態を監視し、
前記通信状態を参照して、周波数チャネル、帯域幅、変調処理、復調処理、符号化処理、復号化処理、送信電力の少なくとも１つを設定する
ことを特徴とする基地局。
【請求項１５】
基地局と、
該基地局と通信する複数の直接波通信局と
を備える無線通信システムの直接波通信局であって、
直接波通信帯域数の切替の要否を判断するための判断情報に基づき、
１直接波通信帯域に対応付けた周波数帯域を複数の直接波通信帯域に対応付けた狭帯域に分割することにより
直接波通信帯域数を切り替える帯域数切替手段を備える
ことを特徴とする直接波通信局。
【請求項１６】
請求項１５の直接波通信局であって、
直接波通信帯域は上り通信帯域であり、
帯域数切替手段は、帯域数の比（下り通信の帯域数：直接波通信の帯域数）を、１：１の状態と１：Ｎ（Ｎは２以上の正の整数）の状態との切り替えを行う
ことを特徴とする直接波通信局。
【請求項１７】
請求項１５の直接波通信局であって、
前記基地局から、直接波通信帯域の設定を指示する制御信号を受信する
ことを特徴とする直接波通信局。
【請求項１８】
請求項１７の直接波通信局であって、
前記制御信号に基づき、直接波を送信すべき直接波通信帯域を送信機に設定する
ことを特徴とする直接波通信局。
【請求項１９】
請求項１８に記載の直接波通信局であって、
直接波は、ＡＳＫ変調されている
ことを特徴とする直接波通信局。
【請求項２０】
請求項１７の直接波通信局であって、
前記制御信号に基づき、直接波を受信すべき直接波通信帯域を受信機に設定する
ことを特徴とする直接波通信局。
【請求項２１】
請求項２０に記載の直接波通信局であって、
直接波は、断続されている
ことを特徴とする直接波通信局。
【請求項２２】
請求項１５の直接波通信局であって、
帯域数切替手段は、
通信状態を監視し、
前記通信状態を参照して、周波数チャネル、帯域幅、変調処理、復調処理、符号化処理、復号化処理、送信電力の少なくとも１つを設定する
ことを特徴とする直接波通信局。
【発明の詳細な説明】
【技術分野】
【０００１】
本発明は、移動無線通信システムに関する。
【背景技術】
【０００２】
消防無線システム、防災無線システム、警察無線システム等の公共無線システムにおいては、１つの搬送波周波数に対して、１つの信号チャネルを割り当てるＳＣＰＣ（Ｓｉｎｇｌｅ  Ｃｈａｎｎｅｌ  ｐｅｒ  Ｃａｒｒｉｅｒ）方式が使用されている場合がある（下記の特許文献）。
【０００３】
このような公共無線システムにおいては、一つの基地局がカバーする地域（通信エリア）には、複数の移動局が存在する。このとき基地局から移動局に向けての通信は下り通信、逆に移動局から基地局に向けての通信は上り通信と呼称され、それぞれに用いられる信号は下り信号、上り信号と称されている。
【０００４】
公共無線システムには、以下のような特徴や要望がある。
【０００５】
（１）都道府県や市町村等の行政単位、又は、それらが複数組み合わされた組合や連合体が、一つの単位として運営される。
【０００６】
（２）これらの単位毎に、下り通信にて行政組織の中央から末端に向けて指令情報や報知情報を送り、上り通信にて末端の現場から現場状況を中央に上げる、という運用が主となる。即ち、下り通信は放送のように１対多の同時配信が中心となり、上り通信は１対１の個別通信が中心となる。
【０００７】
（３）このため、下り通信のみが行えれば良い場合には、受信専用の端末（受令機）が用いられる。このような場合として、例えば、消防無線システムにおいて、消防団組織がユーザである場合が挙げられる。
【０００８】
（４）一方、上り通信にあっては、特定の移動局からの上り通信を、基地局のみならず他の移動局も傍受可能として、移動局間で情報共有を図れることが望まれる。
【０００９】
これら特徴や要望を有する公共無線システムを実現するに当たり、周波数資源の割り当てが必要となる。例えば、大枠として消防、防災、警察等の行政機能毎に周波数帯域を割り当て、さらにその中で地域組織毎の細かな周波数帯域（周波数チャネル）を割り当てる、という階層構造状の割り当て方法がある。
【００１０】
このとき、近隣の地域の無線通信システム間での電波干渉を防止するため、電波が到達する可能性のある地域組織毎に異なる周波数チャネルを割り当てる必要がある。従って、周波数チャネルは、可能な限り多く確保できることが望まれる。しかし、周波数資源は有限であるので、ＳＣＰＣ方式では、音声信号伝送が可能な範囲で各周波数チャネルの占有周波数帯域を抑制するとともに、抑制の手段としてデジタル通信システム（デジタル変調及び符号化）の導入が図られている。
【００１１】
具体例として、日本のデジタル消防無線システムにおいては、１周波数チャネル当たり６．２５ｋＨｚの周波数帯域が割り当てられ、デジタル変調方式としてπ／４シフトＱＰＳＫ（Ｑｕａｄｒａｔｕｒｅ Ｐｈａｓｅ Ｓｈｉｆｔ Ｋｅｙｉｎｇ）変調、さらに帯域圧縮し、かつ、情報秘匿を目的とし符号化が行われる。
【００１２】
下り通信と、この下り通信と複信を構成し対となる上り通信では、それぞれ異なる周波数が用いられるが、基本的に同じ帯域幅の周波数チャネルが割り当てられ、かつ、同じデジタル変調方式及び符号化方式が使用されている。
【先行技術文献】
【特許文献】
【００１３】
【特許文献１】特開平９−２００８１６１号公報
【特許文献２】特開平６−２８４０７７号公報
【特許文献３】特開平６−１４０９６８号公報
【特許文献４】特開２０１３−１３５４３２号公報
【特許文献５】特開２００７−２８１９４７号公報
【特許文献６】国際公開第２０１３／０４２４５４号
【発明の概要】
【発明が解決しようとする課題】
【００１４】
しかしながら、上述した公共無線システムにおいては、緊急対応（即時応答）が困難になる場合があった。
【００１５】
下り通信にて基地局から発信された情報に対し移動局が上り通信で応答するとき、下り通信を発信した基地局に対し上り通信発信を希望する移動局が複数存在する場合がある。しかし、ある時刻において同時に使用できる下り／上りの周波数チャネル数は同じであるため、上り通信発信を希望する移動局は上り通信のチャネルを他の移動局が使用中でないことを確認し、もし使用中の場合はそのチャネルが空くまで待つ必要がある。
【００１６】
即ち、基地局から発信された情報に対して移動局が応答する際には、他の移動局が通信していないこと（チャネルが空いていること）が必要となる。このチャネルが空くまでの時間により応答の即時性が損なわれてしまう。
【００１７】
そこで、本発明の第１の目的は、応答の即時性を向上させた移動無線通信システムを提供することである。
【００１８】
さらに、上述した公共無線システムにおいては、移動局の消費電力が大きくなるという問題があった。
【００１９】
移動局の送信する上り通信には、基地局から送信される下り通信と同じ帯域幅の周波数チャネルが割り当てられ、かつ下り通信と同じデジタル変調方式及び符号化方式が用いられている。また、基地局、移動局ともに、下り通信と上り通信ではアンテナが共用される場合が多く、下り通信と上り通信でアンテナの利得や電波伝搬に大きな差が生じることは無い。このため、上り通信で下り通信と同じ通信品質を実現するためには、下り通信で基地局が送信する無線電力と同等の電力を、移動局が上り通信で送信する必要がある。その結果、移動局の消費電力が大きくなり、その電力消費に伴う発熱も大きくなってしまう。
【００２０】
一方、移動局は、基地局に比べ高温環境に耐えることが求められるにもかかわらず、可搬性確保のため小型であることが求められ、放熱能力が制約される。さらに、災害発生時には電源の確保が困難になるため、平常時よりも消費電力を抑え、長時間電池で駆動できることが求められる。
【００２１】
そこで、本発明の第２の目的は、消費電力と電力消費に伴う発熱の小さな移動局を有する、移動無線通信システムを提供することである。
【００２２】
さらに、上述した公共無線システムにおいては、符号化、復号化の仕組みに支障が生じた場合に、操作者が通信できなくなる可能性が高い、という問題があった。
【００２３】
公共無線システムで用いられる符号化及び復号化は、帯域圧縮性能や秘匿性能を優先するため、高度な符号化及び復号化処理、即ち電子回路による高速な演算が利用できることを前提とした処理に基づいている。
【００２４】
情報の発信においては、操作者のボタン操作や発声情報を本システムを構成する機器によって符号化し送信する。情報の受信において、発信時に符号化された情報は、操作者によって認識できるよう、本システムを構成する機器によって操作者が五感で認識可能な物理的事象に変換される。しかし災害発生時等のこれら公共無線システムが特に必要とされる場面では、振動や衝撃等機械的な原因による破損や、雷や電気のスパークによる電磁的な原因による破損やデータエラーのため、前記符号化や変換の仕組みに障害が発生し、送信や受信が不可能となる場合がある。
【００２５】
しかしこのような変換に障害が発生している場合であっても、自局の無線電波の発射及び停止や、他の基地局や移動局による無線電波の発射及び停止の識別はできることがある。
【００２６】
そこで、本発明の第３の目的は、前記符号化や復号化の仕組みに障害が発生しているときであっても、操作者が通信を継続することのできる代替符号化・復号化手段を有する、移動無線通信システムを提供することである。
【課題を解決するための手段】
【００２７】
上記課題を解決するため、基地局と、該基地局と通信する複数の移動局とを備える移動通信システムは、基地局又は複数の移動局の少なくとも一方が通信状態を監視してチャネル数の切替の要否を判断するための判断情報を作成し、該判断情報に基づきチャネル数の変更が必要な場合には下り通信と上り通信とのチャネル数の比を切り替えるチャネル数切替手段を備えることを特徴とする。
【００２８】
また、上記課題を解決するため、基地局と、該基地局と通信する複数の移動局とを備える移動通信システムは、下り通信と上り通信とのチャネル数の比を切り替え、その結果生じる送信帯域の変化に応じて送信電力を制御する送信電力制御手段を備えることを特徴とする。
【００２９】
さらに、上記課題を解決するため、基地局と、該基地局と通信する複数の移動局とを備える移動通信システムは、下り通信と上り通信とのチャネル数の比の切り替えと連携して、符号化方式や符号化方式に対応する変調方式を切り替える、符号化方式切替手段及び変調方式切替手段を備えることを特徴とする。
【発明の効果】
【００３０】
本発明によれば、チャネルが空くまでの時間を短縮できるので応答の即時性が向上する。
【００３１】
また、本発明によれば、送信帯域の変化に応じて送信電力を制御することができるので消費電力とそれに伴う発熱が低減される。
【００３２】
さらに、本発明によれば、代替符号化・復号化手段を有したので符号化や復号化の仕組みに障害が発生しても通信を継続することができる。
【図面の簡単な説明】
【００３３】
【図１】本実施形態に係る移動無線通信システムのブロック図である。
【図２】移動局のブロック図である。
【図３】チャネル選択部を第１復調器に設けた場合の受信機のブロック図である。
【図４】基地局のブロック図である。
【図５】指令端末装置のブロック図である。
【図６】第２実施形態に係る移動無線通信システムのブロック図である。
【図７】基地局が２以上存在する場合の移動無線通信システムのブロック図である。
【図８】狭帯域周波数チャネルを例示した図である。
【発明を実施するための形態】
【００３４】
＜第１実施形態＞
本発明の実施形態を説明する。図１は、本実施形態に係る移動無線通信システム２Ａのブロック図である。この移動無線通信システム２Ａは、指令端末装置１０、基地局２０、移動局３０（３０ａ，３０ｂ）を備える。なお、図１においては、２つの移動局３０を示しているが、三つ以上あってもよい。
【００３５】
かかる移動無線通信システム２Ａにおける概略的な通信手順は以下の通りである。先ず、移動局３０は、上り信号を生成して無線通信にて送信する。送信された上り信号は、基地局２０及び他の移動局３０が受信する。なお、以下の説明では、移動局３０からの上り信号が他の移動局３０に受信される通信パターンを直接波通信と記載する。
【００３６】
基地局２０は、移動局３０から受信した上り信号を、有線又は無線通信にて、指令端末装置１０に送信する。指令端末装置１０は、基地局２０からの上り信号を受信する。
【００３７】
一方、指令端末装置１０は、下り信号を生成して有線又は無線通信により基地局２０に送信し、基地局２０はこれを受信する。基地局２０は、指令端末装置１０から受信した下り信号を、無線通信にて各移動局３０へ送信する。各移動局３０は、基地局２０からの下り信号を受信する。
【００３８】
（１）移動局３０
次に、このような通信を行う移動無線通信システム２Ａにおける移動局３０について説明する。図２は、移動局３０のブロック図である。
【００３９】
移動局３０は、制御部１０３、送信機１０４、下り信号受信用の第１受信機１０５、上り信号傍受用の第２受信機１０６、共用器１０７、アンテナ１０８を有している。
【００４０】
（１−Ａ）送信機の構成
送信機１０４は、音声信号処理部（ＴＸ−ＡＦ）１４１、ＢＢ（ベースバンド）信号処理部（ＴＸ−ＢＢ）１４２、高周波信号処理部（ＴＸ−ＲＦ）１４３、狭帯域周波数チャネル向けの入力部（ＫＥＹ）１４４を備えて、基地局２０に向けて上り信号を送信する。
【００４１】
この音声信号処理部１４１は、音声入力部（ＭＩＣ）１４１ａを含む。
【００４２】
また、ＢＢ信号処理部（ＴＸ−ＢＢ）１４２は、符号化部（ＥＮＣ）１４２ａ、変調器（ＭＯＤ）１４２ｂを含む。
【００４３】
さらに、高周波信号処理部（ＴＸ−ＲＦ）１４３は、周波数変換器（ＭＩＸ）１４３ａ、高周波ＦＥ（フロントエンド）部（ＦＥ）１４３ｂ、発振器（ＬＯ）１４３ｃを含む。
【００４４】
そして、マイクロフォン等の音声入力部１４１ａから入力したアナログ信号の音声信号は、当該音声入力部１４１ａで送信デジタル音声信号Ｇ１１に変換されて、ＢＢ信号処理部１４２の符号化部１４２ａに入力する。
【００４５】
符号化部１４２ａは、制御部１０３からの符号化方式指定信号Ｐ１１に基づき送信デジタル音声信号Ｇ１１を符号化し、これを符号化音声信号Ｇ１２として変調器１４２ｂに出力する。
【００４６】
なお、符号化方式指定信号Ｐ１１は、符号化処理に用いられる構成要素（ＨＷ、ハードウェア）やアルゴリズム（ＳＷ、ソフトウェア）を指定する情報で、予め制御部１０３に記録された登録情報、通信相手から送付された要求情報、送信信号として送られるデータの種類に応じて判断された判断情報、送信信号に求められる品質（誤り率、データレート、レイテンシ）に基づき判断された判断情報、受信信号のモニタ情報（電界強度、誤り率）に基づき判断された判断情報に基づき制御部１０３が生成する。
【００４７】
一方、入力部１４４からの送信デジタルデータ信号Ｇ１３は、符号化部１４２ａ及び変調器１４２ｂに入力する。この入力部１４４は、一般的なＱＷＥＲＴＹ配列のキーボードやテンキーをはじめとする複数のキー、タッチセンサーやタッチパネル、近接センサー、操作者のジェスチャーを識別するカメラシステムなどにより構成できる。
【００４８】
符号化部１４２ａは、送信デジタルデータ信号Ｇ１３を符号化し、これを符号化データ信号Ｇ１４として変調器１４２ｂに出力する。
【００４９】
変調器１４２ｂは、符号化音声信号Ｇ１２及び／又は符号化データ信号Ｇ１４を、変調方式指定信号Ｐ１２に基づきアナログ信号である送信ＡＢＢ信号（送信アナログＢＢ信号）又は送信ＩＦ信号（送信中間周波信号）に変換し、これを変調信号Ｇ１５として高周波信号処理部１４３の周波数変換器１４３ａに出力する。
【００５０】
なお、変調信号Ｇ１５の生成方法として、入力されたデジタル信号をアナログフィルタ部に入力して必要なアナログ信号波形に波形整形を行う方法、求められるアナログ信号波形に対応するデジタルサンプリング波形をデジタル演算により一旦生成しＤ／Ａ変換することで、アナログ波形整形のためのアナログフィルタ部を簡略化する方法、さらにはアナログ又はデジタル演算により、中間周波数帯のアナログ波形を生成する方法等が適用できる。
【００５１】
変調方式指定信号Ｐ１２は、変調処理に用いられる構成要素（ＨＷ）やアルゴリズム（ＳＷ）を指定する情報で、予め制御部１０３に記録された登録情報、通信相手から送付された要求情報、送信信号として送られるデータの種類に基づき判断された判断情報、送信信号として送られるデータに求められる品質（誤り率、データレート、レイテンシ）に基づき判断された判断情報、受信信号のモニタ情報（電界強度、誤り率）に基づき判断された判断情報に基づき制御部１０３が生成する。
【００５２】
変調方式指定信号Ｐ１２により、変調処理に用いられる構成要素（ＨＷ）やアルゴリズム（ＳＷ）を指定することで、通信相手に対し適切な変調処理や、送信信号として送られるデータの種類や求められる品質に対し最適な変調処理や、受信信号のモニタ情報から推定される電波伝播状況に相応しい変調処理を選択でき、電力効率や通信品質を向上させることができる。
【００５３】
周波数変換器１４３ａには、変調器１４２ｂからの変調信号Ｇ１５と、発振器１４３ｃからの送信ＬＯ信号（送信局部発振信号）Ｇ１６が入力される。この送信ＬＯ信号Ｇ１６は、無線信号としての搬送波周波数を決定する信号である。そして、周波数変換器１４３ａは、変調信号Ｇ１５と送信ＬＯ信号Ｇ１６とを混合し、送信ＲＦ信号（送信高周波信号）Ｇ１７として高周波ＦＥ部１４３ｂに出力する。
【００５４】
なお、周波数設定信号Ｐ１３は、発振器１４３ｃに入力され送信ＬＯ信号Ｇ１６の周波数を指定する情報で、操作者の操作で入力された送信周波数情報、受信信号サーチ機能がある場合にはサーチ処理により決定された受信周波数情報に対応付けられた送信周波数情報に基づき制御部１０３が生成する。
【００５５】
また、周波数変換器１４３ａが行う混合処理は、変調信号Ｇ１５と送信ＬＯ信号Ｇ１６とをアナログ混合演算にて周波数変換し、送信ＲＦ信号Ｇ１７を生成する処理である。
【００５６】
高周波ＦＥ部１４３ｂは、送信ＲＦ信号Ｇ１７に対して、制御部１０３が生成する電源・利得制御信号Ｐ１４に基づき、省電力のための電源制御された電力増幅、利得調整を行って（送信ＲＦ信号Ｇ１７から不要波を除去するとともに送信に必要な電力まで増幅を行って）、共用器１０７に出力する。
【００５７】
共用器１０７は、送信ＲＦ信号Ｇ１７をアンテナ１０８に出力する。アンテナ１０８は、入力した送信ＲＦ信号Ｇ１７を、上り信号の電波として基地局２０や他の移動局３０に送信する。
【００５８】
なお、変調器１４２ｂ又は発振器１４３ｃの少なくとも一方は、制御部１０３からの送信狭帯域周波数チャネル指定情報（ＴＸ＿ＮＢ＿ＦＣＨ指定情報）を入力することができ、送信狭帯域周波数チャネル指定情報が入力されたときにその内容に基づく周波数の変調信号または発振信号を出力する機能を備えている。
【００５９】
（１−Ｂ）第１受信機の構成
第１受信機１０５は、第１音声信号処理部（ＲＸ−ＡＦ）１５１、第１ＢＢ（ベースバンド）信号処理部（ＲＸ−ＢＢ）１５２、第１高周波信号処理部（ＲＸ−ＲＦ）１５３、第１表示器（ＤＩＳＰ）１５４、第１発振器（ＬＯ）１５５を備えて、基地局２０からの下り信号を受信する。
【００６０】
この第１音声信号処理部（ＲＸ−ＡＦ）１５１は、第１音声出力部（ＳＰＫ）１５１ａを含む。
【００６１】
また、第１ＢＢ信号処理部（ＲＸ−ＢＢ）１５２は、第１復号器（ＤＥＣ）１５２ａ、第１復調器（ＤＥＭ）１５２ｂを含む。
【００６２】
第１高周波信号処理部（ＲＸ−ＲＦ）１５３は、第１チャネル選択部（ＳＥＬ）１５３ａ、第１周波数変換器（ＭＩＸ）１５３ｂ、第１高周波ＦＥ（フロントエンド）部（ＦＥ）１５３ｃを含む。
【００６３】
そして、アンテナ１０８で捕捉された基地局２０からのＤＬ受信ＲＦ信号（基地局波受信高周波信号）Ｇ２１は、共用器１０７を介して第１高周波信号処理部１５３の第１高周波ＦＥ部１５３ｃに入力される。
【００６４】
第１高周波ＦＥ部１５３ｃは、ＤＬ受信ＲＦ信号Ｇ２１に対して、制御部１０３が生成する電源・利得制御信号Ｐ２１に基づき、省電力のための電源制御された電力増幅、利得調整を行って第１周波数変換器１５３ｂに入力する。
【００６５】
第１周波数変換器１５３ｂには、ＤＬ受信ＲＦ信号Ｇ２１と第１発振器１５５からのＤＬ受信ＬＯ信号（基地局波受信局部発振信号）Ｇ２２とが入力される。そこで、第１周波数変換器１５３ｂは、ＤＬ受信ＬＯ信号Ｇ２２によりＤＬ受信ＲＦ信号Ｇ２１の周波数変換を行いアナログ信号であるＤＬ受信ＡＢＢ信号（基地局波受信アナログベースバンド信号）又はＤＬ受信ＩＦ信号（基地局波受信中間周波信号）を生成し、これを周波数変換信号Ｇ２３として第１チャネル選択部１５３ａに出力する。
【００６６】
このとき、第１発振器１５５は、周波数設定信号Ｐ２２に基づきＤＬ受信ＬＯ信号Ｇ２２を生成する。周波数設定信号Ｐ２２は、受信局部発振信号の周波数を指定する情報で、操作者の操作で入力された受信周波数情報、受信信号サーチ機能がある場合にはサーチ処理により決定された受信周波数情報に基づき制御部１０３が生成する。
【００６７】
第１チャネル選択部１５３ａは、制御部１０３からの基地局波受信狭帯域周波数チャネル指定情報（ＤＬ＿ＲＸ  ＮＢ＿ＦＣＨ指定情報）を入力することができ、基地局波受信狭帯域周波数チャネル指定情報が入力されたときに、周波数変換信号Ｇ２３の内、基地局波受信狭帯域周波数チャネル指定情報の内容に基づく周波数及び帯域の成分を抽出する機能を備えている。なお、第１チャネル選択部１５３ａを第１復調器１５２ｂ又は第１発振器１５５の少なくとも一方に設けることも可能である。図３は、図２における第１チャネル選択部１５３ａを第１復調器１５２ｂに設けた場合の受信機のブロック図である。図３では、第１復調器１５２ｂの機能の一部として抽出機能を有する。図２において第１発振器１５５に設けた場合は、周波数選択により抽出機能を実現する。
【００６８】
再び図２において、第１復調器１５２ｂは、復調方式指定信号Ｐ２３に基づき周波数変換信号Ｇ２３を符号化された基地局波受信デジタル音声信号及び／又は符号化された基地局波受信デジタルデータ信号に変換し、これを復調信号Ｇ２４として第１復号器１５２ａに出力する。
【００６９】
復調方式指定信号Ｐ２３は、復調処理に用いられる構成要素（ＨＷ）やアルゴリズム（ＳＷ）を指定する情報で、予め制御部１０３に記録された登録情報、通信相手から送付された要求情報、受信信号のモニタ情報（電界強度、誤り率）に基づき制御部１０３が判断した判断情報に基づき、制御部１０３が生成する。
【００７０】
復調方式指定信号Ｐ２３により、復調処理に用いられる構成要素（ＨＷ）やアルゴリズム（ＳＷ）を指定することで、通信相手に対し適切な復調処理や、受信信号として得られるデータの種類や求められる品質に対し最適な復調処理や、受信信号のモニタ情報から推定される電波伝播状況に相応しい復調処理を選択でき、通信品質を向上させることができる。
【００７１】
第１復号器１５２ａは、復号方式指定信号Ｐ２４に基づき復調信号Ｇ２４を復号化し、これを復号信号Ｇ２５として第１音声信号処理部１５１の第１音声出力部１５１ａ及び第１表示器１５４に出力する。
【００７２】
なお、第１音声出力部１５１ａに出力される復号信号Ｇ２５は、基地局波受信デジタル音声信号に対応した信号である。また、第１表示器１５４に出力される復号信号Ｇ２５は、符号化された基地局波受信デジタルデータ信号に対応する信号である。
【００７３】
復号方式指定信号Ｐ２４は、復号処理に用いられる構成要素（ＨＷ）やアルゴリズム（ＳＷ）を指定する情報で、予め制御部１０３に記録された登録情報、通信相手から送付された要求情報、受信信号のモニタ情報（電界強度、誤り率）に基づき制御部１０３が判断した判断情報に基づき、制御部１０３が生成する。
【００７４】
復号方式指定信号Ｐ２４により、復号処理に用いられる構成要素（ＨＷ）やアルゴリズム（ＳＷ）を指定することで、通信相手に対し適切な復号処理や、受信信号として得られるデータの種類や求められる品質に対し最適な復号処理や、受信信号のモニタ情報から推定される電波伝播状況に相応しい復号処理を選択でき、通信品質を向上させることができる。
【００７５】
第１音声出力部１５１ａは、入力された基地局波受信デジタル音声信号に対応する復号信号Ｇ２５を音声に変換し出力する。また、第１表示器１５４は、入力された基地局波受信デジタルデータ信号に対応する復号信号Ｇ２５を基地局波狭帯域周波数チャネル情報に変換し出力する。
【００７６】
（１−Ｃ）第２受信機の構成
第２受信機１０６は、第２音声信号処理部（ＲＸ−ＡＦ）１６１、第２ＢＢ（ベースバンド）信号処理部（ＲＸ−ＢＢ）１６２、第２高周波信号処理部（ＲＸ−ＲＦ）１６３、第２表示器（ＤＩＳＰ）１６４、第２発振器（ＬＯ）１６５を備えて、他の移動局３０からの直接波信号を受信する。
【００７７】
この第２音声信号処理部（ＲＸ−ＡＦ）１６１は、第２音声出力部（ＳＰＫ）１６１ａを含む。
【００７８】
また、第２ＢＢ信号処理部（ＲＸ−ＢＢ）１６２は、第２復号器（ＤＥＣ）１６２ａ、第２復調器（ＤＥＭ）１６２ｂを含む。
【００７９】
第２高周波信号処理部（ＲＸ−ＲＦ）１６３は、第２チャネル選択部（ＳＥＬ）１６３ａ、第２周波数変換器（ＭＩＸ）１６３ｂ、第２高周波ＦＥ（フロントエンド）部（ＦＥ）１６３ｃを含む。
【００８０】
そして、アンテナ１０８で捕捉された他の移動局３０からのＵＬ受信ＲＦ信号（直接波受信高周波信号）Ｇ３１は、共用器１０７を介して第２高周波信号処理部１６３の第２高周波ＦＥ部１６３ｃに入力される。第２高周波ＦＥ部１６３ｃは、ＵＬ受信ＲＦ信号Ｇ３１に対して、制御部１０３が生成する電源・利得制御信号Ｐ２１'に基づき、省電力のための電源制御された電力増幅、利得調整を行って第２周波数変換器１６３ｂに出力する。
【００８１】
第２周波数変換器１６３ｂには、ＵＬ受信ＲＦ信号Ｇ３１と第２発振器１６５からのＵＬ受信ＬＯ信号（直接波受信局部発振信号）Ｇ３２とが入力される。そこで、第２周波数変換器１６３ｂは、ＵＬ受信ＬＯ信号Ｇ３２によりＵＬ受信ＲＦ信号Ｇ３１の周波数変換を行いアナログ信号であるＵＬ受信ＡＢＢ信号（直接波受信アナログベースバンド信号）又はＵＬ受信ＩＦ信号（直接波受信中間周波信号）を生成し、これを周波数変換信号Ｇ３３として第２チャネル選択部１６３ａに出力する。
【００８２】
このとき、第２発振器１６５は、周波数設定信号Ｐ２２'に基づきＵＬ受信ＬＯ信号Ｇ３２を生成する。周波数設定信号Ｐ２２'は、受信局部発振信号の周波数を指定する情報で、操作者の操作で入力された受信周波数情報、受信信号サーチ機能がある場合にはサーチ処理により決定された受信周波数情報に基づき制御部１０３が生成する。
【００８３】
第２チャネル選択部１６３ａは、制御部１０３からの直接波受信狭帯域周波数チャネル指定情報（ＵＬ＿ＲＸ  ＮＢ＿ＦＣＨ指定情報）を入力することができ、直接波受信狭帯域周波数チャネル指定情報が入力されたときに、周波数変換信号Ｇ３３の内、直接波受信狭帯域周波数チャネル指定情報の内容に基づく周波数及び帯域の成分を抽出する機能を備えている。なお、第２チャネル選択部１６３ａは、第２復調器１６２ｂ又は第２発振器１６５の少なくとも一方に設けることも可能である。第２チャネル選択部１６３ａを第２復調器１６２ｂに設けた場合、第２復調器１６２ｂの機能の一部として抽出機能を有する。第２発振器１６５に設けた場合は、周波数選択により抽出機能を実現する。
【００８４】
第２復調器１６２ｂは、復調方式指定信号Ｐ２３'に基づき周波数変換信号Ｇ３３を符号化された直接波受信デジタル音声信号及び／又は符号化された直接波受信デジタルデータ信号に変換し、これを復調信号Ｇ３４として第２復号器１６２ａに出力する。
【００８５】
復調方式指定信号Ｐ２３'は、復調処理に用いられる構成要素（ＨＷ）やアルゴリズム（ＳＷ）を指定する情報で、予め制御部１０３に記録された登録情報、通信相手から送付された要求情報、受信信号のモニタ情報（電界強度、誤り率）に基づき制御部１０３が判断した判断情報に基づき、制御部１０３が生成する。
【００８６】
復調方式指定信号Ｐ２３'により、復調処理に用いられる構成要素（ＨＷ）やアルゴリズム（ＳＷ）を指定することで、通信相手に対し適切な復調処理や、受信信号として得られるデータの種類や求められる品質に対し最適な復調処理や、受信信号のモニタ情報から推定される電波伝播状況に相応しい復調処理を選択でき、通信品質を向上させることができる。
【００８７】
第２復号器１６２ａは、復号方式指定信号Ｐ２４'に基づき復調信号Ｇ３４を復号化し、これを復号信号Ｇ３５として第２音声信号処理部１６１の第２音声出力部１６１ａ及び第２表示器１６４に出力する。
【００８８】
なお、第２音声出力部１６１ａに出力される復号信号Ｇ３５は、直接波受信デジタル音声信号に対応した信号である。また、第２表示器１６４に出力される復号信号Ｇ３５は、符号化された直接波受信デジタルデータ信号に対応する信号である。
【００８９】
復号方式指定信号Ｐ２４'は、復号処理に用いられる構成要素（ＨＷ）やアルゴリズム（ＳＷ）を指定する情報で、予め制御部１０３に記録された登録情報、通信相手から送付された要求情報、受信信号のモニタ情報（電界強度、誤り率）に基づき制御部１０３が判断した判断情報に基づき、制御部１０３が生成する。
【００９０】
復号方式指定信号Ｐ２４'により、復号処理に用いられる構成要素（ＨＷ）やアルゴリズム（ＳＷ）を指定することで、通信相手に対し適切な復号処理や、受信信号として得られるデータの種類や求められる品質に対し最適な復号処理や、受信信号のモニタ情報から推定される電波伝播状況に相応しい復号処理を選択でき、通信品質を向上させることができる。
【００９１】
第２音声出力部１６１ａは、入力された直接波受信デジタル音声信号に対応する復号信号Ｇ３５を音声に変換して出力する。また、第２表示器１６４は、入力された直接波受信デジタルデータ信号に対応する復号信号Ｇ３５を直接波狭帯域周波数チャネル情報に変換し出力する。
【００９２】
２）基地局
次に、基地局２０について説明する。図４は基地局２０のブロック図である。
【００９３】
本発明の基地局２０は、制御部２０３、送信機（ＴＸ）２０４、上り信号受信用の受信機（ＲＸ）２０５、共用器２０７、アンテナ２０８を有している。
【００９４】
（２−１）送信機の機能
送信機（ＴＸ）２０４は、ＢＢ（ベースバンド）信号処理部（ＴＸ−ＢＢ）２４２、高周波信号処理部（ＴＸ−ＲＦ）２４３を備えて、下り信号を送信する。
【００９５】
ＢＢ信号処理部（ＴＸ−ＢＢ）２４２は、符号化部（ＥＮＣ）２４２ａ、変調器（ＭＯＤ）２４２ｂを含む。
また、高周波信号処理部（ＴＸ−ＲＦ）２４３は、周波数変換器（ＭＩＸ）２４３ａ、高周波ＦＥ（フロントエンド）部（ＦＥ）２４３ｂ、発振器（ＬＯ）２４３ｃを含む。
【００９６】
制御部２０３は、外部のネットワークから入力された送信デジタル音声信号及び／又は送信デジタルデータ信号の入力信号Ｇ２１１をＢＢ信号処理部２４２の符号化部２４２ａに入力する。
【００９７】
外部のネットワークとしてはＬＡＮ（Ｌｏｃａｌ Ａｒｅａ Ｎｅｔｗｏｒｋ）や公衆通信網が、送信情報（送信デジタル音声信号及び送信デジタルデータ信号）の発信元としては指令端末装置１０や回線交換機が挙げられる。
【００９８】
そして、符号化部２４２ａは、符号化方式指定信号Ｐ４１に基づき送信デジタル音声信号及び／又は送信デジタルデータ信号等の入力信号Ｇ２１１を符号化し、符号化された送信デジタル音声信号や符号化された送信デジタルデータ信号を共に符号化信号Ｇ２１２として変調器２４２ｂに出力する。
【００９９】
なお、符号化方式指定信号Ｐ４１は、符号化処理に用いられる構成要素（ＨＷ、ハードウェア）やアルゴリズム（ＳＷ、ソフトウェア）を指定する情報で、予め制御部２０３に記録された登録情報、通信相手から送付された要求情報、送信信号として送られるデータの種類に応じて判断された判断情報、送信信号に求められる品質（誤り率、データレート、レイテンシ）に基づき判断された判断情報、受信信号のモニタ情報（電界強度、誤り率）に基づき判断された判断情報に基づき制御部２０３が生成する。
【０１００】
変調器２４２ｂは、符号化信号Ｇ２１２を、変調方式指定信号Ｐ４２に基づきアナログ信号である送信ＡＢＢ信号（送信アナログＢＢ信号）又は送信ＩＦ信号（送信中間周波信号）に変換し、これを変調信号Ｇ２１３として高周波信号処理部２４３の周波数変換器２４３ａに出力する。
【０１０１】
変調信号Ｇ２１３の生成方法として、入力されたデジタル信号をアナログフィルタ部に入力して必要なアナログ信号波形に波形整形を行う方法、求められるアナログ信号波形に対応するデジタルサンプリング波形をデジタル演算により一旦生成しＤ／Ａ変換することで、アナログ波形整形のためのアナログフィルタ部を簡略化する方法、さらにはアナログ又はデジタル演算により、中間周波数帯のアナログ波形を生成する方法等が適用できる。
【０１０２】
なお、変調方式指定信号Ｐ４２は、変調処理に用いられる構成要素（ＨＷ）やアルゴリズム（ＳＷ）を指定する情報で、予め制御部２０３に記録された登録情報、通信相手から送付された要求情報、送信信号として送られるデータの種類に基づき判断された判断情報、送信信号として送られるデータに求められる品質（誤り率、データレート、レイテンシ）に基づき判断された判断情報、受信信号のモニタ情報（電界強度、誤り率）に基づき判断された判断情報に基づき制御部２０３が生成する。
【０１０３】
周波数変換器２４３ａには変調器２４２ｂからの変調信号Ｇ２１３と、発振器２４３ｃからの送信ＬＯ信号（送信局部発振信号）Ｇ２１４が入力される。この送信ＬＯ信号Ｇ２１４は、無線信号としての搬送波周波数を決定する信号である。そして、周波数変換器２４３ａは、変調信号Ｇ２１３と送信ＬＯ信号Ｇ２１４とを混合して、送信ＲＦ信号（送信高周波信号）Ｇ２１５として、高周波ＦＥ部２４３ｂに出力する。
【０１０４】
なお、周波数設定信号Ｐ４３は、発振器２４３ｃに入力され送信ＬＯ信号Ｇ２１４の周波数を指定する情報で、送信周波数を決定するために、基地局２０に予め割り当てられた送信周波数情報に基づき制御部２０３が生成する。
【０１０５】
また、周波数変換器２４３ａが行う混合処理は、変調信号Ｇ２１３と送信ＬＯ信号Ｇ２１４とをアナログ混合演算にて周波数変換し、送信ＲＦ信号Ｇ２１５を生成する処理である。
【０１０６】
高周波ＦＥ部２４３ｂは、送信ＲＦ信号Ｇ２１５に対して、制御部２０３が生成する電源・利得制御信号Ｐ４４に基づき、省電力のための電源制御された電力増幅、利得調整を行って（送信ＲＦ信号Ｇ２１５から不要波を除去するとともに送信に必要な電力まで増幅を行って）、共用器２０７に出力する。
【０１０７】
共用器２０７は、送信ＲＦ信号Ｇ２１５をアンテナ２０８へ出力する。アンテナ２０８は、入力した送信ＲＦ信号Ｇ２１５を、下り信号の電波として移動局３０に向け放射する。
【０１０８】
（２−２）受信機の構成
受信機２０５は、ＢＢ（ベースバンド）信号処理部（ＲＸ−ＢＢ）２５２、高周波信号処理部（ＲＸ−ＲＦ）２５３、発振器（ＬＯ）２５５を備えて、移動局３０からの上り信号を受信する。
【０１０９】
ＢＢ信号処理部（ＲＸ−ＢＢ）２５２は、復号器（ＤＥＣ）２５２ａ、復調器（ＤＥＭ）２５２ｂを含む。
【０１１０】
また、高周波信号処理部（ＲＸ−ＲＦ）２５３は、周波数変換器（ＭＩＸ）２５３ｂ、高周波ＦＥ（フロントエンド）部（ＦＥ）２５３ｃを含む。
【０１１１】
そして、アンテナ２０８で捕捉された移動局３０からの受信ＲＦ信号（受信高周波信号）Ｇ２２１は、共用器２０７を経て高周波信号処理部（ＲＸ−ＲＦ）２５３の高周波ＦＥ部２５３ｃに入力される。
【０１１２】
受信高周波ＦＥ部２５３ｃは、受信ＲＦ信号Ｇ２２１に対して、制御部２０３が生成する電源・利得制御信号Ｐ５１に基づき、省電力のための電源制御された電力増幅、利得調整を行って周波数変換器２５３ｂに入力する。
【０１１３】
周波数変換器２５３ｂには、受信ＲＦ信号Ｇ２２１と発振器（ＬＯ）２５５からの受信ＬＯ信号（受信局部発振信号）Ｇ２２２とが入力される。
そこで、周波数変換器２５３ｂは受信ＬＯ信号Ｇ２２２により受信ＲＦ信号Ｇ２２１の周波数変換を行いアナログ信号である受信ＡＢＢ信号（受信アナログＢＢ信号）又は受信ＩＦ信号（受信中間周波信号）を生成し、これを周波数変換信号Ｇ２２３として復調器２５２ｂに出力する。
【０１１４】
発振器２５５は、制御部２０３からの周波数設定信号Ｐ５２に基づき、受信ＬＯ信号Ｇ２２２を生成して出力する。周波数設定信号Ｐ５２は、発振器２５５に入力され受信ＬＯ信号Ｇ２２２の周波数を指定する情報で、受信周波数を決定するために、基地局２０に予め割り当てられた受信周波数情報に基づき制御部２０３が生成する。
【０１１５】
復調器２５２ｂは、復調方式指定信号Ｐ５３に基づき周波数変換信号Ｇ２２３を、符号化された受信デジタル音声信号及び／又は符号化された受信デジタルデータ信号に変換し、これを復調信号Ｇ２２４として復号器２５２ａに出力する。
【０１１６】
復調方式指定信号Ｐ５３は、復調処理に用いられる構成要素（ＨＷ）やアルゴリズム（ＳＷ）を指定する情報で、予め制御部２０３に記録された登録情報、通信相手から送付された要求情報、受信信号のモニタ情報（電界強度、誤り率）に基づき制御部２０３が判断した判断情報に基づき、制御部２０３が生成する。
【０１１７】
復調方式指定信号Ｐ５３により、復調処理に用いられる構成要素（ＨＷ）やアルゴリズム（ＳＷ）を指定することで、通信相手に対し適切な復調処理や、受信信号として得られるデータの種類や求められる品質に対し最適な復調処理や、受信信号のモニタ情報から推定される電波伝播状況に相応しい復調処理を選択でき、通信品質を向上させることができる。
【０１１８】
復号器２５２ａは、復号方式指定信号Ｐ５４に基づき復調信号Ｇ２２４を復号化し、これを復号信号Ｇ２２５として制御部２０３に出力する。
【０１１９】
復号方式指定信号Ｐ５４は、復号処理に用いられる構成要素（ＨＷ）やアルゴリズム（ＳＷ）を指定する情報で、予め制御部２０３に記録された登録情報、通信相手から送付された要求情報、受信信号のモニタ情報（電界強度、誤り率）に基づき制御部２０３が判断した判断情報に基づき制御部２０３が生成する。
【０１２０】
復号方式指定信号Ｐ５４により、復号処理に用いられる構成要素（ＨＷ）やアルゴリズム（ＳＷ）を指定することで、通信相手に対し適切な復号処理や、受信信号として得られるデータの種類や求められる品質に対し最適な復号処理や、受信信号のモニタ情報から推定される電波伝播状況に相応しい復号処理を選択でき、通信品質を向上させることができる。
【０１２１】
制御部２０３は、復号信号Ｇ２２５を外部のネットワークに出力する。外部のネットワークとしてはＬＡＮや公衆通信網が、受信情報の送付先としては、指令端末装置１０や回線交換機が挙げられる。
【０１２２】
なお、復調器２５２ｂには、チャネル選択手段（ＦＲＥＱ  ＳＥＬ）（図示しない）が設けられている。このチャネル選択手段は、制御部２０３からの狭帯域周波数チャネル指定情報（ＮＢ＿ＦＣＨ指定情報）を入力することができ、狭帯域周波数チャネル指定情報が入力されたときに、周波数変換信号Ｇ２２３の内、狭帯域周波数チャネル指定情報の内容に基づく周波数及び帯域の成分を抽出する機能を備えている。チャネル選択手段は、発振器２５５に設けることも可能である。チャネル選択手段を発振器２５５に設けた場合、周波数選択により抽出機能を実現する。
【０１２３】
（３）指令端末装置
次に、指令端末装置１０を説明する。図５は、当該指令端末装置１０のブロック図である。
【０１２４】
本発明の指令端末装置１０は、制御部３０３、送信機（ＴＸ）３１０、受信機（ＲＸ）３２０、表示部（ＤＩＳＰ）３３０、チャネル選択部（ＳＥＬ）３４０を備えて、基地局２０を介して移動局３０と通信する。送信機３１０は、音声入力部（ＭＩＣ）３１１、送信信号処理部（ＡＦ）３１２を含む。また、受信機３２０は、音声出力部（ＳＰＫ）３２１、受信信号処理部（ＡＦ）３２２を含む。
【０１２５】
（３−１）送信機の構成
そして、送信機３１０の音声入力部３１１は音声をアナログ信号である送信音声信号Ｇ３０１として送信音声処理部３１２に出力する。
【０１２６】
送信音声処理部３１２は、送信音声信号Ｇ３０１をデジタル信号に変換し、これを送信デジタル音声信号Ｇ３０２として制御部３０３に出力する。
【０１２７】
制御部３０３は、送信デジタル音声信号Ｇ３０２を外部のネットワークに出力する。外部のネットワークとしては、ＬＡＮや公衆通信網が例示でき、送信情報の送付先としては、基地局２０や回線交換機が例示できる。
【０１２８】
（３−２）受信機の構成
制御部３０３は、受信デジタル音声信号及び／又は受信デジタルデータ信号を外部のネットワークから入力して、受信デジタル音声信号Ｇ３１１を受信信号処理部３２２に出力し、受信デジタルデータ信号Ｇ３２１を表示部３３０に出力する。
【０１２９】
外部のネットワークの例としてはＬＡＮや公衆通信網が、入力情報の発信元としては、基地局２０や回線交換機が挙げられる。
【０１３０】
受信信号処理部３２２は、デジタル信号である受信デジタル音声信号Ｇ３１１をアナログ信号である受信音声信号Ｇ３１２に変換して音声出力部３２１に出力する。
【０１３１】
そして、音声出力部３２１は、受信音声信号Ｇ３１２を受信音声に変換して出力する。また、表示部３３０は、受信デジタルデータ信号Ｇ３２１を画像や音声に変換して出力する。
【０１３２】
チャネル選択部３４０は、狭帯域周波数チャネル指定情報（ＮＢ＿ＦＣＨ指定情報）Ｇ３３１を生成して制御部３０３に出力する。
【０１３３】
このときチャネル選択部３４０は、指令（操作者）の狭帯域周波数チャネル選択指示に基づき、狭帯域周波数チャネル指定情報Ｇ３３１を生成する。狭帯域周波数チャネルは、図８に例示するように周波数帯域の狭いチャネルである。図８では例えば帯域が５００Ｈｚのチャネルが複数ある場合を挙げている。各狭帯域周波数チャネルには識別符号（番号）が割り振られている。狭帯域周波数チャネル指定情報Ｇ３３１には識別符号が含まれている。
【０１３４】
この狭帯域周波数チャネル指定情報Ｇ３３１は、制御部３０３から外部ネットワークを経て、基地局２０の制御部２０３に出力され、基地局内部における狭帯域周波数チャネル指定情報に変換される。また、基地局２０を介し、移動局３０の制御部１０３に出力され、移動局内部における狭帯域周波数チャネル指定情報に変換される。
【０１３５】
（４）システム全体の動作
次に、上述した移動無線通信システム２Ａの動作を図１の構成を例に説明する。図１では、指令端末装置１０と、基地局２０と、複数の移動局３０（ここでは、移動局３０ａ、移動局３０ｂ）とが存在する。各々の移動局３０は、送り手である操作者の発信したい情報をもとに無線信号である上り信号を生成して、無線通信にて基地局２０に送信する。
【０１３６】
上り信号の内容は、音声情報、画像情報、その他のデータ情報、及び通信に関する制御情報である。これらの情報は、各々即時性の要否で大別できる。ここで、即時性とは、例えば電話に代表されるように、送り手が情報を発信したとほぼ同時に、受信者が情報を受信できることを指す。
【０１３７】
基地局２０は、移動局３０から受信した無線信号である上り信号を、有線信号又は他の形式の無線信号に変換し、指令端末装置１０に送信する。
【０１３８】
指令端末装置１０は、基地局２０からの上り信号を受信し、そこに含まれる内容（音声情報、画像情報、その他のデータ情報）を受手の操作者のために処理（例えば、再生や記録）する。
【０１３９】
逆に、指令端末装置１０は、送手である操作者の発信したい情報を元に、有線信号又は基地局２０−移動局３０間で使用されているものとは異なる形式の無線信号である下り信号を生成して、基地局２０に送信する。
【０１４０】
下り信号の内容も、音声情報、画像情報、その他のデータ情報、及び通信に関する制御情報であり、これらの情報も上りの場合と同様に、各々即時性の要否で大別できる。
【０１４１】
基地局２０は、指令端末装置１０からの下り信号を受信し、無線信号である下り信号に変換して、無線通信にて複数存在する移動局３０に送信する。
【０１４２】
各々の移動局３０は、基地局２０からの下り信号を受信し、そこに含まれる内容（音声情報、画像情報、その他のデータ情報）を受け手の操作者のために処理（例えば、再生や記録）する。
【０１４３】
ある移動局３０（例えば、移動局３０ａ）が生成した無線信号である上り信号は、移動局３０間の直接波通信として、他の移動局３０（例えば、移動局３０ｂ）によっても受信される。
【０１４４】
受信した移動局３０は、そこに含まれる内容（音声情報、画像情報、その他のデータ情報）を受け手の操作者のために処理（例えば、再生や記録）する。
【０１４５】
次に、図８を参照して、基地局２０と移動局３０との間で行われる無線通信における周波数マップを周波数分割複信のＳＣＰＣ方式を例に説明する。
【０１４６】
上り／下り通信で周波数帯域を分離した周波数分割複信のＳＣＰＣ方式においては、図８に示すように、基地局２０から移動局３０への下り通信時には、周波数ｆＨを中心とする予め定められた帯域（ここでは例として、帯域幅６．２５ｋＨｚとする）を１チャネルとする。また、平常時の移動局３０から基地局２０への上り通信時には、ｆＨとは異なる周波数ｆＬを中心とし、同じ帯域幅を有する帯域を１チャネルとする。そして、これらが一対（１：１）として使用される。このような上り／下り通信でのチャネル数が同じ（１：１）関係を、チャネル等数状態と記載する。
【０１４７】
図８では、上り通信において周波数ｆＬを中心とする６．２５ｋＨｚの帯域を、さらに複数の狭帯域（ここでは例として、帯域幅５００Ｈｚの場合を示す）に分割し、下りと上りのチャネル数を１：Ｎ（Ｎは２以上の整数）としている。このような上り／下り通信でのチャネル数が同じではない（１：Ｎ）関係を、チャネル非等数状態と記載する。このような運用は、例えば災害発生時に多くの上り通信チャネルが必要とされる場合に実施することができる。
【０１４８】
本実施形態では、基地局２０の符号化器２４２ａや復号器２５２ａ等が通信を監視し、その監視結果が制御部２０３に送られ、制御部２０３がチャネル等数状態とチャネル非等数状態との切替え（チャネル数切替）や非等数状態での比率を判断する。このときの監視結果に基づく判断として、通信の混雑度、複数の上り通信における即時性の必要度等が例示できる。
【０１４９】
さらに、本実施形態では、基地局２０の復調器２５２ｂや復号器２５２ａが、周波数変換信号Ｇ２２３や復調信号Ｇ２２４におけるチャネル等数／非等数状態や非等数状態での比率を周波数スペクトル中のエネルギー分布を測定することで監視し、その監視結果が制御部２０３に送られ、制御部２０３が上り通信チャネルにて既に実施されているチャネル等数状態とチャネル非等数状態との切替え状況や非等数状態での比率を認識することができる。この結果、上り通信チャネルの状況に応じたチャネル数切替の、自動制御が可能となる。
【０１５０】
なお、チャネル数切替を基地局２０の操作者が判断してもよい。操作者は、通信の混雑を、チャネル毎の利用状況（通信に利用されている時間の割合）をモニタして判断することができる。また、即時性は利用用途（音声通話、データ通信等）をモニタすることで判断することができる。
【０１５１】
また、チャネル数切替は、回線制御装置（図示しない）や指令端末装置１０からの切替要求情報を基地局２０の制御部２０３が受け取って判断してもよい。
【０１５２】
そして、基地局２０は、チャネル数切替判断に基づき、平常時には（１：１）のチャネル等数状態で移動局３０に通信させ、災害発生時等の非常時には（１：Ｎ）のチャネル非等数状態で通信させるための切替を移動局３０に要求する。この切替要求情報は、一般的に基地局２０と移動局３０の間で送受信されている制御信号に含めて行う。制御信号を受信した移動局３０は、自局における送信機の動作設定（チャネル数の設定）を切り替える。
【０１５３】
また、基地局２０は、切替要否の判断結果に基づき、当該移動局３０からの上り信号受信時には、自局の受信機の動作設定を切り替える。
【０１５４】
なお、切替要求情報は、基地局２０の他に指令端末装置１０やその他の装置で生成してもよい。そして、基地局２０で制御信号に変換して、移動局３０に送信してもよい。
【０１５５】
チャネル非等数状態での上り１チャネル当たりの帯域は狭い（ここでは帯域幅５００Ｈｚとしている）ため、この帯域で伝送可能な信号のシンボルレートは帯域に対応して小さくなる。一方、ここにモールス符号などを用いて搬送波を断続するＡＳＫ（Ａｍｐｌｉｔｕｄｅ  Ｓｈｉｆｔ  Ｋｅｙｉｎｇ）変調の信号を収容することは可能である。
【０１５６】
受信時には、少なくとも受信信号帯域に比例した受信帯域雑音の電力が、受信信号電力に重畳される。受信信号帯域が狭ければ受信帯域雑音電力（熱雑音のノイズフロアのレベルと受信信号帯域の積）は低減される。換言すると同じ搬送波電力対雑音電力比（Ｃ／Ｎ）を得るためには、信号帯域が６．２５ｋＨｚから５００Ｈｚに下がった場合、送信電力を約１／１２に低減しても受信帯域雑音の影響は変わらない。
【０１５７】
この結果、消費電力を低減でき、さらには電池のもちがよくなる、発熱が小さくなり放熱に関して小型化、低廉化が図れる、という効果が得られる。
【０１５８】
（４−２）移動局の動作
次に、移動局３０の動作を、図２を参照して説明する。
【０１５９】
（４−２−１）送信機の動作
移動局の操作者の音声は、音声入力部１４１ａにより音声信号に変換されて、送信デジタル音声信号Ｇ１１が生成される。
【０１６０】
符号化器１４２ａは、制御部１０３からの符号化方式指定信号Ｐ１１が指定するＡＤＰＣＭ（Ａｄａｐｔｉｖｅ Ｄｉｆｆｅｒｅｎｔｉａｌ Ｐｕｌｓｅ Ｃｏｄｅ Ｍｏｄｕｌａｔｉｏｎ）方式、ＣＥＬＰ（Ｃｏｄｅ−Ｅｘｃｉｔｅｄ Ｌｉｎear Prediction）方式、音声ＣＯＤＥＣ等の符号化方式に従い、送信デジタル音声信号Ｇ１１を符号化し、これを符号化音声信号Ｇ１２として変調器１４２ｂに出力する。
【０１６１】
一方、入力部１４４は、例えばデジタルのエンコードデータを出力するキーボードやＯＮ／ＯＦＦ状態を出力するスイッチであり、操作者の操作に基づき送信デジタルデータ信号Ｇ１３を生成して、これを符号化器１４２ａが符号化データ信号Ｇ１４として変調器１４２ｂに出力する。
【０１６２】
変調器１４２ｂは、符号化音声信号Ｇ１２や符号化データ信号Ｇ１４を変調して変調信号Ｇ１５として周波数変換器１４３ａに出力する。
【０１６３】
周波数変換器１４３ａは、変調信号Ｇ１５と送信ＬＯ信号Ｇ１６とを混合して送信ＲＦ信号Ｇ１７を生成する。
【０１６４】
高周波ＦＥ部１４３ｂは、送信ＲＦ信号Ｇ１７から不要波除去や電力増幅を行って、共用器１０７に出力する。
【０１６５】
共用器１０７は、１本のアンテナ１０８を異なる周波数帯域の信号で共用するため、周波数に基づき分波する。
【０１６６】
アンテナ１０８は、入力した送信ＲＦ信号Ｇ１７を、空間を伝搬する電波に変換し、基地局２０や他の移動局３０に向け放射する。
【０１６７】
変調器１４２ｂ又は発振器１４３ｃの少なくとも一方は、制御部１０３から、複数設定されている送信狭帯域周波数チャネルの中から一部を指定する送信狭帯域周波数チャネル指定情報（ＴＸ＿ＮＢ＿ＦＣＨ指定情報）を入力することができ、変調器１４２ｂはその内容に基づく周波数の変調信号を出力し、発振器１４３ｃはその内容に基づく周波数の発振信号を出力する。
【０１６８】
ＴＸ＿ＮＢ＿ＦＣＨ指定情報は、例えば操作者の操作、指令端末装置１０での情報入力操作（チャネル選択部３４０の出力として）、又は制御部１０３の判断処理から得られる、どの送信狭帯域周波数チャネルを利用するかの情報に基づき生成される。
【０１６９】
（４−２−２）第１受信機の動作
アンテナ１０８は、基地局２０からのＤＬ受信ＲＦ信号Ｇ２１（基地局波受信高周波信号）を捕捉し、共用器１０７に出力する。共用器１０７は、ＤＬ受信ＲＦ信号Ｇ２１を、第１高周波信号処理部１５３の第１高周波ＦＥ部１５３ｃへ導く。
【０１７０】
第１高周波ＦＥ部１５３ｃは、ＤＬ受信ＲＦ信号Ｇ２１から不要波を除去するとともに、復調に必要なレベルまで増幅を行って出力する。第１発振器１５５は、復調又は周波数変換用の搬送波となるＤＬ受信ＬＯ信号Ｇ２２（基地局波受信局部発振信号）を生成する。
【０１７１】
そこで、第１周波数変換器１５３ｂは、ＤＬ受信ＲＦ信号Ｇ２１と、ＤＬ受信ＬＯ信号Ｇ２２とをアナログ混合演算により周波数変換し、ＤＬ受信ＡＢＢ信号（基地局波受信アナログＢＢ信号）又はＤＬ受信ＩＦ信号（基地局波受信中間周波信号）を生成する。そして、これらの信号を周波数変換信号Ｇ２３として出力する。
【０１７２】
第１復調器１５２ｂは、周波数変換信号Ｇ２３を復調し、これを復調信号Ｇ２４として出力する。第１復号器１５２ａは、復調信号Ｇ２４を復号し、（復号化された）基地局波受信デジタル音声信号と、（復号化された）基地局波受信デジタルデータ信号を生成して、復号信号Ｇ２５として出力する。
【０１７３】
第１音声信号処理部１５１は、基地局波受信デジタル音声信号に対応した復号信号Ｇ２５をＤ／Ａ変換し、基地局波受信デジタル音声信号を生成する。
【０１７４】
第１音声出力部１５１ａは、基地局波受信デジタル音声信号を入力し、音波である音声に変換して、例えば、スピーカやイヤホン等から操作者に向け出力する。
【０１７５】
また、第１表示器１５４は、基地局波受信デジタルデータ信号に対応した復号信号Ｇ２５を基地局波狭帯域周波数チャネル情報に変換して、操作者に向け表示等する。基地局波狭帯域周波数チャネル情報は、第１表示器１５４に画像として表示されてもよいし、音声や振動などを用いて出力されてもよい。
【０１７６】
第１チャネル選択部１５３ａは、制御部１０３からの基地局波受信狭帯域周波数チャネル指定情報（ＤＬ＿ＲＸ  ＮＢ＿ＦＣＨ指定情報）に基づき、周波数変換信号Ｇ２３の内、指定の周波数及び帯域の成分を抽出する。
【０１７７】
なお、第１チャネル選択部１５３ａが第１復調器１５２ｂに設けられている場合、第１復調器１５２ｂの機能の一部として指定の周波数及び帯域の成分を抽出する。また第１チャネル選択部１５３ａが第１発振器１５５に設けられている場合は、周波数選択により指定の周波数及び帯域の成分を抽出する。
【０１７８】
制御部１０３には、例えば操作者の操作や、指令端末装置１０の操作（チャネル選択部３４０の出力として）、又は制御部の判断処理から得られる、どの基地局波受信狭帯域周波数チャネルを利用するかの情報が入力され、この情報に基づき制御部１０３はＤＬ＿ＲＸ  ＮＢ＿ＦＣＨ指定情報を生成する。
【０１７９】
（４−２−３）第２受信機の動作
アンテナ１０８は、他の移動局３０からのＵＬ受信ＲＦ信号Ｇ３１（直接波受信高周波信号）を捕捉し、共用器１０７に出力する。共用器１０７は、ＵＬ受信ＲＦ信号Ｇ３１を、第２高周波信号処理部１６３の第２高周波ＦＥ部１６３ｃへ導く。
【０１８０】
第２高周波ＦＥ部１６３ｃは、ＵＬ受信ＲＦ信号Ｇ３１から不要波を除去するとともに、復調に必要なレベルまで増幅を行って出力する。
【０１８１】
第２発振器１６５は、復調又は周波数変換用の搬送波となるＵＬ受信ＬＯ信号Ｇ３２（直接波受信局部発振信号）を生成する。
【０１８２】
そこで、第２周波数変換器１６３ｂは、ＵＬ受信ＲＦ信号Ｇ３１と、ＵＬ受信ＬＯ信号Ｇ３２とアナログ混合演算により周波数変換し、ＵＬ受信ＡＢＢ信号（直接波受信アナログＢＢ信号）又はＵＬ受信ＩＦ信号（直接波受信中間周波信号）を生成する。そして、これらの信号を周波数変換信号Ｇ３３として出力する。
【０１８３】
第２復調器１６２ｂは、周波数変換信号Ｇ３３を復調し、これを復調信号Ｇ３４として出力する。第２復号器１６２ａは、復調信号Ｇ３４を復号し、（復号化された）直接波受信デジタル音声信号と、（復号化された）直接波受信デジタルデータ信号を生成して、復号信号Ｇ３５として出力する。
【０１８４】
また、第２音声信号処理部１６１は、直接波受信デジタル音声信号に対応した復号信号Ｇ３５をＤ／Ａ変換し、直接波受信デジタル音声信号を生成する。
【０１８５】
第２音声出力部１６１ａは、直接波受信デジタル音声信号を入力し、音波である音声に変換して、例えば、スピーカやイヤホン等から操作者に向け出力する。
【０１８６】
また、第２表示器１６４は、直接波受信デジタルデータ信号に対応した復号信号Ｇ３５を直接波狭帯域周波数チャネル情報に変換して、操作者に向け表示等する。直接波狭帯域周波数チャネル情報は、第２表示器に画像として表示されてもよいし、音声や振動などを用いて出力されてもよい。
【０１８７】
第２チャネル選択部１６３ａは、制御部１０３からの直接波受信狭帯域周波数チャネル指定情報（ＵＬ＿ＲＸ  ＮＢ＿ＦＣＨ指定情報）に基づき、周波数変換信号Ｇ３３の内、指定の周波数及び帯域の成分を抽出する。
【０１８８】
なお、第２チャネル選択部１６３ａが第２復調器１６２ｂに設けられている場合、第２復調器１６２ｂの機能の一部として指定の周波数及び帯域の成分を抽出する。また第２チャネル選択部１６３ａが第２発振器１６５に設けられている場合は、周波数選択により指定の周波数及び帯域の成分を抽出する。
【０１８９】
制御部１０３には、例えば操作者の操作や、指令端末装置１０の操作（チャネル選択部３４０の出力として）、又は制御部の判断処理から得られる、どの直接波受信狭帯域周波数チャネルを利用するかの情報が入力され、この情報に基づき制御部１０３はＵＬ＿ＲＸ  ＮＢ＿ＦＣＨ指定情報を生成する。
【０１９０】
（４−３）基地局の動作
次に、図４にて、本実施形態の基地局２０の動作を詳細に説明する。
ここでは、本実施形態の基地局２０が、制御部２０３、送信機２０４、受信機２０５、共用器２０７、アンテナ２０８を有している場合を例とする。
【０１９１】
（４−３−１）送信機の動作
符号化部２４２ａは、制御部２０３を介して入力した送信デジタル音声信号や送信デジタルデータ信号の入力信号Ｇ２１１を入力し、符号化し、これを符号化信号Ｇ２１２として変調器２４２ｂに出力する。送信デジタル音声信号は、制御部２０３からの符号化方式指定信号Ｐ４１が指定するＡＤＰＣＭ方式、ＣＥＬＰ方式、音声ＣＯＤＥＣ等の符号化方式に従い符号化される。
【０１９２】
変調器２４２ｂは、符号化信号Ｇ２１２を変調して、変調信号Ｇ２１３として出力する。発振器２４３ｃは、無線信号としての搬送波の周波数を決定する送信ＬＯ信号Ｇ２１４を生成する。
【０１９３】
そこで、周波数変換器２４３ａは、変調信号Ｇ２１３と送信ＬＯ信号Ｇ２１４とをアナログ混合演算して周波数変換し、これを送信ＲＦ信号Ｇ２１５として出力する。
【０１９４】
高周波ＦＥ部２４３ｂは、送信ＲＦ信号Ｇ２１５から不要波を除去するとともに送信に必要な電力まで増幅を行って、共用器２０７に出力する。
【０１９５】
共用器２０７は、１本のアンテナ２０８を異なる周波数帯域の信号で共用するため、周波数に基づき分波する。
【０１９６】
アンテナ２０８は入力した送信ＲＦ信号Ｇ２１５を、空間を伝搬する電波に変換し、移動局３０に向け放射する。
【０１９７】
（４−３−２）受信機の動作
アンテナ２０８は、移動局３０からの受信ＲＦ信号Ｇ２２１（受信高周波信号）を捕捉し、共用器２０７に出力する。共用器２０７は、受信ＲＦ信号Ｇ２２１を、高周波信号処理部２５３の高周波ＦＥ部２５３ｃへ導く。
【０１９８】
高周波ＦＥ部２５３ｃは、受信ＲＦ信号Ｇ２２１から不要波を除去するとともに、復調に必要なレベルまで増幅を行って出力する。発振器２５５は、復調又は周波数変換用の搬送波となる受信ＬＯ信号Ｇ２２２を生成する。
【０１９９】
そこで、周波数変換器２５３ｂは、受信ＲＦ信号Ｇ２２１と、受信ＬＯ信号Ｇ２２２をアナログ混合演算して周波数変換し、これを周波数変換信号Ｇ２２３として出力する。
【０２００】
復調器２５２ｂは、周波数変換信号Ｇ２２３を復調し、復調信号Ｇ２２４として出力する。復号器２５２ａは、復調信号Ｇ２２４を復号し、これを復号信号Ｇ２２５として制御部２０３に出力する。
【０２０１】
制御部２０３は、復号信号Ｇ２２５を外部のネットワークに出力する。外部のネットワークとしてはＬＡＮや公衆通信網が、受信情報の送付先としては、指令端末装置１０や回線交換機が挙げられる。
【０２０２】
復調器２５２ｂ又は発振器２５５の少なくとも一方は、チャネル選択機能（図示しない）を有している。チャネル選択機能は、制御部２０３からの狭帯域周波数チャネル指定情報（ＮＢ＿ＦＣＨ指定情報）に基づき、周波数変換信号Ｇ２２３の内、指定の周波数及び帯域の成分を抽出する。なお、チャネル選択機能が復調器２５２ｂに設けられている場合、復調器２５２ｂの機能の一部として指定の周波数及び帯域の成分を抽出する。またチャネル選択機能が発振器２５５に設けられている場合は、周波数選択により指定の周波数及び帯域の成分を抽出する。
【０２０３】
制御部２０３には、例えば移動局からの要求信号や、制御部の判断処理、又は制御部を経由して指令端末装置１０のチャネル選択部３４０から、どの狭帯域周波数チャネルを利用するかの情報が入力され、この情報に基づき制御部２０３はＮＢ＿ＦＣＨ指定情報を生成する。
【０２０４】
（４−４）指令端末装置の動作
次に、図５にて、本実施形態の指令端末装置１０の動作を詳細に説明する。
【０２０５】
（４−４−１）送信機の動作
音波である音声は音声入力部３１１によりアナログの音声信号に変換されて、送信音声信号Ｇ３０１として出力される。
【０２０６】
送信信号処理部３１２は、送信音声信号Ｇ３０１をＡ／Ｄ変換し、これを送信デジタル音声信号Ｇ３０２として制御部３０３に出力する。制御部３０３は、送信デジタル音声信号Ｇ３０２を外部のネットワークに出力する。外部のネットワークとしてはＬＡＮや公衆通信網が、送信情報の送付先としては、基地局２０や回線交換機が挙げられる。
【０２０７】
（４−４−２）受信機の動作
制御部３０３には、受信デジタル音声信号及び／又は受信デジタルデータ信号が外部のネットワークから入力する。そこで、制御部３０３は、受信デジタル音声信号Ｇ３１１を受信信号処理部３２２に出力し、受信デジタルデータ信号Ｇ３２１を表示部３３０に出力する。外部のネットワークとしてはＬＡＮや公衆通信網が、入力情報の発信元としては、基地局２０や回線交換機が挙げられる。
【０２０８】
受信信号処理部３２２は受信デジタル音声信号Ｇ３１１をＤ／Ａ変換し、受信音声信号Ｇ３１２として出力する。音声出力部３２１は、受信音声信号Ｇ３１２を音波である音声に変換して、操作者に向けスピーカやイヤホン等により出力する。
【０２０９】
以上説明したように、複数の移動局が同時に上り通信を行うことができるので、移動局が上り通信を開始しようとするときでかつ他の移動局がその帯域を使用している場合であっても、その帯域が空くまで待つ必要がなくなるため、応答の即時性が向上する。
【０２１０】
また、上り通信と下り通信とで異なる通信帯域としたことで、下り通信で基地局が送信する電力と同等の電力を、移動局が上り通信で送信する必要がなくなるため、上り通信の送信に必要な消費電力を少なくできる。この結果、小型化でき、広い環境温度条件に耐えられ、厳しい放熱条件に適合し、電池により長時間駆動が可能となる。
【０２１１】
また、人間が聴覚、視覚、又は触覚により認識可能な符号（例えばモールス符号）を導入したため、符号化された情報を、五感を用いて人間が直接認識することが可能となる。
さらに、低消費電力、低発熱の送信機能を導入可能としたため、受令機としての利点を維持しつつ上り通信送信機能の実装が可能となる。
【０２１２】
＜第２実施形態＞
本発明の第２実施形態を説明する。なお、第１実施形態と同一構成に関しては、同一符号を用い説明を適宜省略する。第１実施形態においては、基地局２０は１の周波数チャネルで送受信する場合について説明した。これに対し、本実施形態においては、基地局２０は２以上の周波数チャネルを送受信することができるようにした。
【０２１３】
図６は、このような移動無線通信システム２Ｂのブロック図である。図１に示す移動無線通信システム２Ａに対して、指令端末装置１０と基地局２０との間に回線制御装置４０が追設されている。
【０２１４】
この回線制御装置４０は、指令端末装置１０からの特定の移動局３０を指定する指定情報に基づき、指定された移動局３０が使用する周波数チャネルに指令端末装置１０を接続する。
【０２１５】
また、図７は、基地局２０が２以上存在する場合の移動無線通信システム２Ｃのブロック図である。この移動無線通信システム２Ｃでは、各基地局２０について１以上の移動局３０が存在し、各基地局２０と送受信可能である。
【０２１６】
このため、指令端末装置１０と基地局２０との間に回線制御装置４０が追設されている。そして、回線制御装置４０は、指令端末装置１０からの特定の移動局３０の指定情報に基づき、特定の移動局３０が送受信可能である基地局２０に指令端末装置１０を接続する。
【０２１７】
これにより、２以上の周波数チャネルを用いて、通信状態に応じた送受信が行えるようになる。
【０２１８】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【０２１９】
この出願は、２０１４年７月２８日に出願された日本出願特願２０１４−１５２９９３を基礎とする優先権を主張し、その開示の全てをここに取り込む。
【符号の説明】
【０２２０】
２Ａ〜２Ｃ  移動無線通信システム
１０  指令端末装置
２０  基地局
３０（３０ａ，３０ｂ）  移動局
１０３  制御部
１０４  送信機
１０５  第１受信機
１０６  第２受信機
１０７  共用器
１０８  アンテナ
１４１  音声信号処理部（ＴＸ−ＡＦ）
１４１ａ  音声入力部（ＭＩＣ）
１４２  ＢＢ信号処理部（ＴＸ−ＢＢ）
１４２ａ  符号化部（ＥＮＣ）
１４２ｂ  変調器（ＭＯＤ）
１４３  高周波信号処理部（ＴＸ−ＲＦ）
１４３ａ  周波数変換器（ＭＩＸ）
１４３ｂ  高周波ＦＥ部（ＦＥ）
１４３ｃ  発振器（ＬＯ）
１４４  入力部（ＫＥＹ）
１５１  第１音声信号処理部（ＲＸ−ＡＦ）
１５１ａ  第１音声出力部（ＳＰＫ）
１５２  第１ＢＢ信号処理部（ＲＸ−ＢＢ）
１５２ａ  第１復号器（ＤＥＣ）
１５２ｂ  第１復調器（ＤＥＭ）
１５３  第１高周波信号処理部（ＲＸ＿ＲＦ）
１５３ａ  第１チャネル選択部（ＳＥＬ）
１５３ｂ  第１周波数変換器（ＭＩＸ）
１５３ｃ  第１高周波ＦＥ部（ＦＥ）
１５４  第１表示器（ＤＩＳＰ）
１５５  第１発振器（ＬＯ）
１６１  第２音声信号処理部（ＲＸ−ＡＦ）
１６１ａ  第２音声出力部（ＳＰＫ）
１６２  第２ＢＢ信号処理部（ＲＸ−ＢＢ）
１６２ａ  第２復号器（ＤＥＣ）
１６２ｂ  第２復調器（ＤＥＭ）
１６３  第２高周波信号処理部（ＲＸ−ＲＦ）
１６３ａ  第２チャネル選択部（ＳＥＬ）
１６３ｂ  第２周波数変換器（ＭＩＸ）
１６３ｃ  第２高周波ＦＥ部（ＦＥ）
１６４  第２表示器（ＤＩＳＰ）
１６５  第２発振器（ＬＯ）
２０３  制御部
２０４  送信機（ＴＸ）
２０５  受信機（ＲＸ）
２０７  共用器（ＤＵＰ）
２０８  アンテナ
２４２  ＢＢ信号処理部（ＴＸ−ＢＢ）
２４２ａ  符号化部（ＥＮＣ）
２４２ｂ  変調器（ＭＯＤ）
２４３  高周波信号処理部（ＴＸ−ＲＦ）
２４３ａ  周波数変換器（ＭＩＸ）
２４３ｂ  高周波ＦＥ部（ＦＥ）
２４３ｃ  発振器（ＬＯ）
２５２  ＢＢ信号処理部（ＲＸ−ＢＢ）
２５２ａ  復号器（ＤＥＣ）
２５２ｂ  復調器（ＤＥＭ）
２５３  高周波信号処理部（ＲＸ−ＲＦ）
２５３ｂ  周波数変換器（ＭＩＸ）
２５３ｃ  高周波ＦＥ部（ＦＥ）
２５５  発振器（ＬＯ）
３０３  制御部
３１０  送信機（ＴＸ）
３１１  音声入力部（ＭＩＣ）
３１２  送信信号処理部（ＡＦ）
３２０  受信機（ＲＸ）
３２１  音声出力部（ＳＰＫ）
３２２  受信信号処理部（ＡＦ）
３３０  表示部（ＤＩＳＰ）
３４０  チャネル選択部（ＳＥＬ）
【図１】
2020120385.tif 000003
【図２】
2020120385.tif 000004
【図３】
2020120385.tif 000005
【図４】
2020120385.tif 000006
【図５】
2020120385.tif 000007
【図６】
2020120385.tif 000008
【図７】
2020120385.tif 000009
【図８】
2020120385.tif 000010